(57)【要約】      （修正有）【課題】フレクシブル板を収納箱から引き出してゴミ集積場を囲うとき、フレクシブル板の出し入れ口のスリットから雨や雪が入り込まないようにする。フレクシブル板を引き出し、サークルを形成した後フレクシブル板の端部を簡単に固定するゴミ集積場の囲いを提供する。【解決手段】フレクシブル板１を出し入れするスリット３の両内側に風雪の吹き込みを防ぐためのブラシ状のもの又は弾力性のある薄い樹脂板を取り付けておく。フレクシブル板１の先端に付けてある止め板７の取っ手８が逆Ｌ字形をしていて下向きに棒状の握りがあり、スリットから見て収納箱の反対側にある留め金具９が取っ手を持ち上げて握り部を落とし込める鞘状になっている。収納箱の外部底の一辺の角にキャスターを取り付け、全重量を支えて移動できるようにしておく。【選択図】図１
0003143075.tif 000002
【実用新案登録請求の範囲】
【請求項１】
厚さ５〜１０ｍｍ、高さ５０〜９０ｃｍで長さ５〜７ｍの中空プラスチック製の板で、長さ方向に対して直角にほぼ５ｃｍ間隔で縦方向に２ｍｍ程の幅で圧着してあり、巻いたり巻き戻したり自由に屈曲できるようにしてあるフレクシブル板を使用して、ゴミ集積場の囲いを形成するが、そのフレクシブル板を使用しないときは収納箱に収納できるようにしてあり、そのやり方は、フレクシブル板の一端を、収納箱の中心部に縦に位置する、ハンドル付の回転軸に取り付けて収納箱の隅にあるスリットから自由に出し入れして、収納箱の中に巻き取れるようになっており、またフレクシブル板の他端には、巻き取った折、スリットの周辺にある窪みに収まりよく嵌って止まる幅の狭い止め板が取り付けてあり、その止め板には取っ手が付いていて、フレクシブル板を引き出すときにはその取っ手を持って引っ張り、ゴミ集積場を囲むサークルが形成されたとき、スリットから見て収納箱の反対側の隅にある留め金具にその取っ手を引っ掛けてサークルを維持するようにして、上部はネットで覆って鳥獣からゴミを守るゴミ集積場囲い。
【請求項２】
フレクシブル板を収納箱に収納した状態で収納箱を容易に移動できるように、収納箱の底の一辺にキャスターを取り付け、その取り付け方が収納箱を傾けたときキャスターのみ接地して全重量を支えて移動できるようになっていることを特徴とする請求項１記載のゴミ集積場囲い。
【請求項３】
フレクシブル板が出入りする収納箱のスリットの両内側に風雪の吹き込みを防ぐためのブラシ状のもの又は弾力性のある樹脂製の薄い板が取り付けてあることを特徴とする請求項１又は２記載のゴミ集積場囲い。
【請求項４】
フレクシブル板の先端に付けてある止め板の取っ手が逆Ｌ字形をしていて、下向きに棒状の握りがあり、スリットから見て収納箱の反対側にある留め金具が取っ手を持ち上げて握り部を落とし込める鞘状になっており、嵌め込んだときフレクシブル板を持ち上げない限り外れないようになっていることを特徴とする請求項１又は２又は３記載のゴミ集積場囲い。
【請求項５】
収納箱の背面又は側面には収納箱を傾斜させて移動させるときに掴むためのコの字形の取っ手が付いており、その取っ手はまた収納箱を鎖等で柱等に繋いで置くための係留金具としても使用できることを特徴とする請求項１又は２又は３又は４記載のゴミ集積場囲い。
【請求項６】
フレクシブル板の先端の止め板にマグネットが取り付けてあり、反対側の止め金具の代わりには鉄板が取り付けてあって、マグネットと鉄板の吸着力でフレクシブル板のサークルを維持するようになっていることを特徴とする請求項１又は２又は３又は５記載のゴミ集積場囲い。
【請求項７】
収納箱の背面あるいは側面の上下にコの字形の金具が取り付けてあり上下貫通して立て札の支柱が差し込めるようになっていることを特徴とする請求項１又は２又は３又は４又は５又は６記載のゴミ集積場囲い。
【請求項８】
収納箱の上面全体が一枚の蓋になっており、回転軸のハンドルはその蓋の下にあり、収納箱の中はフレクシブル板の入る部分が仕切ってあり、残った部分にはネットや掃除道具が収納できるようになっていることを特徴とする請求項１又は２又は３又は４又は５又は６又は７記載のゴミ集積場囲い。
【考案の詳細な説明】
【技術分野】
【０００１】  ゴミ集積場において鳥獣によりゴミが荒らされないようにゴミを隔離する用具に関する。
【背景技術】
【０００２】  ゴミの集積場で、特に生ゴミの収集日はカラスや犬などの鳥獣が食物を漁るために、ゴミ袋が破られ、ゴミが散乱してその周辺が汚されることが多々あった。【０００３】  あるいはゴミを集積するといってもその区画がはっきりしない場合もゴミ袋が散乱して都市の美観が損なわれることが多かった。【０００４】  それらへの対策としてゴミ全体を覆うようにネットを被せる処置が一般的に現在まだ多く取られているが、完全にゴミの散乱を防御できず、カラスが生ゴミを取り出したりしてゴミが散乱することが起こった。【０００５】  これら問題に対して以前、当実用新案考案者によって「収納式カラス等鳥獣撃退ごみ集積場キット」として提案され、多大な効果を上げていたが、実際使用するにつれ、いくつかの問題が出てきた。
【実新文献１】
実新第３１０２１３６号
【０００６】  収納箱からフレクシブル板を出し入れするスリットから雨や雪が吹き込み、収納箱の中が水浸しになることがあった。
【０００７】  フレクシブル板を引き出しゴミ集積場を囲ってサークルを作り、フレクシブル板の端部の取っ手を収納箱の隅にある留め金具に引っ掛けて固定する方法が扱いにくく、ゴミ回収業者によって止め金具が壊されてしまうことが時々発生した。
【０００８】  フレクシブル板を内蔵する収納箱の全重量は３０ｋｇ程あるので１人では移動させるのが困難であった。
【考案の開示】
【考案が解決しようとする課題】
【０００９】  フレクシブル板を収納箱から引き出してゴミ集積場を囲うとき、フレクシブル板の出し入れ口のスリットから雨や雪が入り込まないようにする。フレクシブル板を引き出し、サークルを形成した後フレクシブル板の端部を簡単に確実に固定する方法を提案する。収納箱を１人で簡単に移動できるようにする。
【課題を解決するための手段】
【００１０】  本考案は上記問題に鑑みてなされたものであり、収納箱の中に溜まる水に対しては底に排水口を穿けることも良いが、それと合わせて水が入り込まないようにするのが一番である。そこでフレクシブル板を出し入れするスリットの両内側に風雪の吹き込みを防ぐためのブラシ状のもの又は弾力性のある樹脂製の薄い板を取り付けておく。あるいは収納箱の上面全体を一枚で覆う蓋を取り付け、ハンドルの付け根部分等からの水の浸入も防ぐようにしておく。【００１１】  フレクシブル板の先端に付けてある止め板の取っ手が逆Ｌ字形をしていて下向きに棒状の握りがあり、スリットから見て収納箱の反対側にある留め金具が、取っ手を持ち上げて握り部を落とし込める鞘状になっており、嵌め込んだときフレクシブル板を持ち上げない限り外れないようにしておく。【００１２】  収納箱外部の底の一辺の角にキャスターを取り付けるが、取り付け方は収納箱を傾けたときキャスターのみが接地して、全重量を支えて移動できるようにしておく。収納箱のキャスターの付いている側の側面には収納箱を傾斜させて引っ張るための取っ手を取り付けておくが、これは収納箱を係留しておくために鎖等で繋ぐのにも利用できる。
【考案の効果】
【００１３】  以上述べてきたように、本考案に拠れば、収納箱の底の一辺にキャスターが取り付けてあるので、収納箱を傾斜させることにより１人でも簡単に移動できる。スリットに取り付けた風雪防御処置により、中に水が溜まることが無く、また着脱容易でかつ確実に保持できる留め金具により簡単にゴミ集積場の囲いの設置、収納ができるようになる。
【考案を実施するための最良の形態】
【００１４】  中空プラスチック製の薄い板で長さ方向に対して直角にほぼ５ｃｍ間隔で、縦方向に２ｍｍ程の幅で圧着してあり、巻いたり巻き戻したり自由に屈曲できるようにしてあるフレクシブル板でゴミ集積場を囲い、上にネットを被せて使用するゴミ集積場囲い。【００１５】  フレクシブル板は収納箱の中にハンドル付きの軸で巻き取れるようになっていて、コンパクトに収納することができる。収納箱には底の一辺にキャスターが取り付けてあって、１人で簡単に移動できるようになっている。
【実施例１】
【００１６】  本考案の「ゴミ集積場囲い」の実施例を図面に基づいて説明すると、図１は全体を示す斜視図で、フレクシブル板１を収納箱２よりスリット３を通して引き出した状態を示しており、図２はフレクシブル板の収納状態を示すために箱の一部を切り欠いてある。箱の中心部にある軸４にフレクシブル板１の一端が取り付けてあり、ハンドル５を回転させることによりフレクシブル板は軸４に巻き取られて収納される。収納を楽にするために軸の下部にはフレクシブル板を乗せて軸と連動して回転できる回転盤６が取り付けてある。【００１７】  一方フレクシブル板の他端には止め板７が取り付けてあり、取っ手８を引っ張ることにより、フレクシブル板は収納箱より引き出すことができる。フレクシブル板を引き出してゴミ集積場を囲むサークルを形成した後、その逆Ｌ字形をした取っ手の棒状の握り部分を収納箱の反対側にある止め金具９に取っ手を持ち上げて落とし込むとフレクシブル板の他端は固定されてサークルは完成される。止め板７はフレクシブル板を巻き終わるときフレクシブル板取り出し口周辺の窪み１０に丁度嵌合する形になっている。【００１８】  図２に示すように収納箱内には中仕切り１１で仕切ってネット収納スペース１２が設けてあり、上部に開閉できる蓋１３が取り付けてあり、この中にはサークルに被せるネットの他に掃除用具を入れることもできる。【００１９】  図３に示すようにスリット３の両内側にはフレクシブル板を引き出したときできる隙間から雪などが吹き込むのを防ぐためにブラシ状のもの１４又は弾力性のある樹脂製の薄い板が取り付けてある。【００２０】  図１に示してあるように、側面の下端には箱を傾けて転がして運べるようにキャスター１５が取り付けてあり、箱を傾けて引っ張れるようコの字形の取っ手１６が取り付けてある。この取っ手は箱を所定の場所に繋いでおくための係留用金具としても使用できる。
【実施例２】
【００２１】  図４に別の実施例を示す。上面全部を１枚の蓋１７にし、ハンドルの回転軸の付け根から、あるいはネット収納部の蓋の蝶番部分からの水の流入を防ぐようにしてある。収納箱の中は仕切ってフレクシブル板収納部１８を設けてある。その横のスペース１２はネット及び掃除用具等の収納スペースになる。
【産業上の利用可能性】
【００２２】  以上述べてきたように本考案のゴミ集積場囲いは使用しないときはコンパクトに収納箱内にまとめることができるので都市の景観を損ねることは無い。かつ必要に応じては移動も一人で楽に行うことができる。
【図面の簡単な説明】
【００２３】
【図１】フレクシブル板を収納箱２より引き出した状態を示す斜視図。
【図２】フレクシブル板の収納状態を示す一部切り欠き図。
【図３】スリットの内側にブラシ状のものが取り付けてあるさまを示す図。
【図４】上部全面を覆う蓋が付いている収納箱。
【符号の説明】
【００２４】  １  フレクシブル板
２  収納箱
３  スリット
４  フレクシブル板を巻き取る軸
５  ハンドル
６  回転盤
７  止め板
８  取っ手
９  止め金具
１０  フレクシブル板取り出し口周辺の窪み
１１  中仕切り
１２  ネット収納スペース
１３  蓋
１４  ブラシ状の毛
１５  キャスター
１６  運搬用取っ手兼係留用金具
１７  上部全面を覆う蓋
１８  フレクシブル板収納部
【図１】
0003143075.tif 000003
【図２】
0003143075.tif 000004
【図３】
0003143075.tif 000005
【図４】
0003143075.tif 000006